(57)【要約】【課題】飲食物容器の蓋体に相対する方向から飲食物容器に飲食用具包装体が取り付けられたかを目視確認することができ、さらに、飲食物容器から飲食用具包装体および紐体を容易に取り外すことができる飲食物容器用ラベルの使用方法を提供することを課題とする。【解決手段】飲食物容器用ラベル３２裏面の蓋体領域２２によって飲食物容器ラベル１２を蓋体４へ固定し、飲食用具領域２４によって飲食用具包装体８を蓋体４へ固定し、紐体領域２６によって紐体１０を前記蓋体４へ確実に固定する。飲食物容器６から飲食用具包装体８を取り外すには、まず、紐体１０を飲食物容器６から引き離すように持ち上げることによって紐体１０を飲食物容器６から取り外す。次に、飲食用具包装体８の一方の端部を飲食物容器６から引き離すように持ち上げることによって、飲食用具包装体８を飲食物容器６から取り外すことができる。【選択図】図３
2007197078.tif 000002
【特許請求の範囲】
【請求項１】
飲食物を収納した容器本体を蓋体で閉じ合わせた飲食物容器と、前記飲食物を飲食するための飲食用具を収納して包装した飲食用具包装体と、前記容器本体と前記蓋体とを封止するとともに前記飲食用具包装体を前記蓋体表面へ半固定する紐体と、表面に名称、原材料名、消費期限、製造者などの前記飲食物に関連する情報を表示し、裏面に粘着剤が塗布され、この裏面を前記蓋体に接する蓋体領域と少なくとも前記飲食用具包装体に接する飲食用具領域と少なくとも前記紐体に接する紐体領域とに区分した飲食物容器用ラベルと、を有し、
前記飲食物容器用ラベルの前記蓋体領域によって前記飲食物容器ラベルを前記蓋体へ固定し、前記飲食用具領域によって前記飲食用具包装体を前記蓋体へ固定し、前記紐体領域によって前記紐体を前記蓋体へ固定することを特徴とする飲食物容器用ラベルの使用方法。
【請求項２】
前記飲食物容器用ラベルは、前記紐体領域内および前記飲食用具領域内に切れ目および非切れ目からなるミシン目を設け、前記紐体領域内のミシン目を切断して前記紐体を前記飲食物容器から取り外し、前記飲食用具領域内のミシン目を切断して前記飲食用具包装体を前記蓋体から取り外すことを特徴とする請求項１記載の飲食物容器用ラベルの使用方法。
【請求項３】
前記飲食物容器用ラベルは、前記紐体領域内に切れ目および非切れ目からなるミシン目を設けるとともに、前記飲食用具領域に非粘着部を設け、前記紐体領域内のミシン目を切断して前記紐体を前記飲食物容器から取り外し、前記飲食用具領域に沿って前記飲食用具包装体を移動させて前記蓋体から取り外すことを特徴とする請求項１記載の飲食物容器用ラベルの使用方法。
【発明の詳細な説明】
【技術分野】
【０００１】
本発明は、弁当や総菜などの飲食物を収納した飲食物容器に貼着される飲食物容器用ラベルの使用方法に関し、特に、箸、スプーン、フォークなどの前記飲食物を飲食するための飲食用具を収納して包装した飲食用具包装体と、前記飲食物容器を封止するとともに前記飲食用具包装体を前記飲食物用器へ半固定する紐体とを、前記飲食物容器へ固定するための飲食物容器用ラベルの使用方法に関する。
【背景技術】
【０００２】
従来、弁当や総菜などの飲食物を収納した飲食物容器には、箸、スプーン、フォークなどの前記飲食物を飲食するための飲食用具を収納して包装した飲食用具包装体が付属されている。このような飲食物容器に飲食用具包装体を付属させるには、飲食物容器の数量に応じて、販売時に飲食用具包装体を付属させる方法があるが、この方法では飲食用具包装体を入れ忘れたり、数量不足になってしまう場合がある。そのため、飲食物容器にあらかじめ飲食用具包装体を取り付けておく方法が多く用いられている。
【０００３】
図６は、従来の方法によって飲食物容器へ飲食用具包装体を取り付けた一例を示す図である。飲食物容器６は、たとえば弁当など飲食物を収納した容器本体２を蓋体４で閉じ合わせてなり、飲食物容器６の容器本体２の側壁面に飲食用具包装体８が固定用テープ５２によって取り付けられている。また、蓋体４の表出する面には、名称、原材料名、消費期限、製造者などの前記飲食物に関連する情報を表示した表示ラベル５０が貼着されている。
【０００４】
このような弁当などの飲食物を収納した飲食物容器６には、消費者が購入するときに飲食物の内容を理解し、適正に飲食物を選択するための情報源として、表示ラベル５０が貼着されている。弁当などの飲食物は、購入時に構成原材料の内容を外部から確認して購入する飲食物であり、その商品の特性上、商品を裏返して表示内容を確認することが困難な食品であることから、飲食物容器６では蓋体４の表出する面に表示ラベル５０が貼着されており、飲食物容器６の蓋体４に相対する方向から表示ラベル５０に表示された情報を目視確認することができる。
【０００５】
この表示ラベル５０には表示すべき事項が決められており、たとえば、名称または品名として一般的に通用する名称が記載され、原材料名として原材料に占める重量の割合の多いものから順に記載され、消費期限として衛生上危害が無いと認められる期限が記載され、製造者として製造された食品に対する責任の所在として製造所の所在地と名称が記載されている。
【０００６】
上述したような、容器本体２の側壁面に飲食用具包装体８を固定用テープ３２によって取り付ける方法では、蓋体４に相対する方向からでは、飲食用具包装体８が確実に飲食物容器６に取り付けられたかを目視確認することができないという問題があった。
【０００７】
また、蓋体４の表出する面に飲食用具包装体８を固定用テープ５２によって取り付けることによって、飲食用具包装体８の飲食物容器６への取り付けを目視確認できるようになるが、この固定用テープ５２を用いて飲食物容器６へ飲食用具包装体８を固定する方法では、固定用テープ５２として一般的には強接着性のテープが使用されているため、飲食用具包装体８を飲食物容器６から取り外すのが困難であり、容器本体２を転倒させてしまったりして取扱いが不便であるという問題があった。
【０００８】
図７は、従来の方法によって飲食物容器へ飲食用具包装体を取り付けたその他の例を示す図である。飲食物容器６は、たとえば弁当など飲食物を収納した容器本体２を蓋体４で閉じ合わせてなり、紐体１０によって容器本体２と蓋体４とを封止するとともに、この紐体１０によって飲食用具包装体８が飲食物容器６に取り付けられ、蓋体４の表出する面には表示ラベル５０が貼着されている。
【０００９】
このように、紐体１０を用いて飲食物容器６へ飲食用具包装体８を取り付ける方法では、飲食物容器６に飲食用具包装体８および紐体１０を確実に固定することができず、飲食容器６から飲食用具包装体８が脱落しやすいという問題があった。
【００１０】
なお、箸等の包装体を食品容器等に容易に取り付けるため、箸等を紙等のシート体にて包装した包装体において、該シート体の外側面の少なくとも一部分に感熱性接着剤を塗布することによって、食品容器に取り付ける際に包装体の接着部分を数秒間加熱するだけで容易に接着することができるため、箸等の取り付け作業性に優れた箸等の包装体として以下の公報がある。
【００１１】
【特許文献１】実開平７−４３１４７号公報。
【発明の開示】
【発明が解決しようとする課題】
【００１２】
本発明は以上のような諸問題に鑑みなされたもので、その目的とするところは、飲食物容器に飲食用具包装体および紐体を確実に固定するとともに、飲食物容器の蓋体に相対する方向から飲食物容器に飲食用具包装体が取り付けられたかを目視確認することができ、さらに、飲食物容器から紐体および飲食用具包装体を容易に取り外すことができる飲食物容器用ラベルの使用方法を提供することを課題とする。
【課題を解決するための手段】
【００１３】
本発明は上記課題を解決すべく、以下に掲げる構成とした。
請求項１記載の発明の要旨は、飲食物を収納した容器本体を蓋体で閉じ合わせた飲食物容器と、前記飲食物を飲食するための飲食用具を収納して包装した飲食用具包装体と、前記容器本体と前記蓋体とを封止するとともに前記飲食用具包装体を前記蓋体表面へ半固定する紐体と、表面に名称、原材料名、消費期限、製造者などの前記飲食物に関連する情報を表示し、裏面に粘着剤が塗布され、この裏面を前記蓋体に接する蓋体領域と少なくとも前記飲食用具包装体に接する飲食用具領域と少なくとも前記紐体に接する紐体領域とに区分した飲食物容器用ラベルと、を有し、前記飲食物容器用ラベルの前記蓋体領域によって前記飲食物容器ラベルを前記蓋体へ固定し、前記飲食用具領域によって前記飲食用具包装体を前記蓋体へ固定し、前記紐体領域によって前記紐体を前記蓋体へ固定することを特徴とする飲食物容器用ラベルの使用方法に関する。
【００１４】
請求項２記載の発明の要旨は、前記飲食物容器用ラベルは、前記紐体領域内および前記飲食用具領域内に切れ目および非切れ目からなるミシン目を設け、前記紐体領域内のミシン目を切断して前記紐体を前記飲食物容器から取り外し、前記飲食用具領域内のミシン目を切断して前記飲食用具包装体を前記蓋体から取り外すことを特徴とする請求項１記載の飲食物容器用ラベルの使用方法に関する。
【００１５】
請求項３記載の発明の要旨は、前記飲食物容器用ラベルは、前記紐体領域内に切れ目および非切れ目からなるミシン目を設けるとともに、前記飲食用具領域に非粘着部を設け、前記紐体領域内のミシン目を切断して前記紐体を前記飲食物容器から取り外し、前記飲食用具領域に沿って前記飲食用具包装体を移動させて前記蓋体から取り外すことを特徴とする請求項１記載の飲食物容器用ラベルの使用方法に関する。
【発明の効果】
【００１６】
本発明は、飲食物を収納した容器本体を蓋体で閉じ合わせた飲食物容器と、前記飲食物を飲食するための飲食用具を収納して包装した飲食用具包装体と、前記容器本体と前記蓋体とを封止するとともに前記飲食用具包装体を前記蓋体表面へ半固定する紐体と、表面に名称、原材料名、消費期限、製造者などの前記飲食物に関連する情報を表示し、裏面に粘着剤が塗布され、この裏面を前記蓋体に接する蓋体領域と少なくとも前記飲食用具包装体に接する飲食用具領域と少なくとも前記紐体に接する紐体領域とに区分した飲食物容器用ラベルと、を有し、前記飲食物容器用ラベルの前記蓋体領域によって前記飲食物容器ラベルを前記蓋体へ固定し、前記飲食用具領域によって前記飲食用具包装体を前記蓋体へ固定し、前記紐体領域によって前記紐体を前記蓋体へ固定するようにしたので、前記飲食物容器に前記飲食用具包装体および紐体を確実に固定するとともに、前記飲食物容器の前記蓋体に相対する方向から前記飲食物容器に前記飲食用具包装体が取り付けられたかを目視確認することができる。
【００１７】
また、前記飲食物容器用ラベルは、前記紐体領域内および前記飲食用具領域内に切れ目および非切れ目からなるミシン目を設け、前記紐体領域内のミシン目を切断して前記紐体を前記飲食物容器から取り外し、前記飲食用具領域内のミシン目を切断して前記飲食用具包装体を前記蓋体から取り外すようにしたので、前記飲食物容器から前記紐体および前記飲食用具包装体を容易に取り外すことができる。
【００１８】
さらに、前記飲食物容器用ラベルは、前記紐体領域内に切れ目および非切れ目からなるミシン目を設けるとともに、前記飲食用具領域に非粘着部を設け、前記紐体領域内のミシン目を切断して前記紐体を前記蓋体から取り外し、前記飲食用具領域に沿って前記飲食用具包装体を移動させて前記蓋体から取り外すようにしたので、前記飲食物容器から前記紐体および前記飲食用具包装体を容易に取り外すことができる。
【発明を実施するための最良の形態】
【００１９】
本発明にかかる飲食物容器用ラベルの使用方法について、図１乃至図５を用いて説明する。なお、先述した図６、図７と同様の部分には同一符号を付し、その詳述はこれを省略する。まず、本発明にかかる飲食物容器用ラベルの使用方法における第１の実施の形態について説明する。図１は、本発明にかかる飲食物容器用ラベルの使用方法における第１の実施の形態を示す概略図であり、図２は、本発明にかかる飲食物容器用ラベルの使用方法における第１の実施の形態を説明する説明図である。
【００２０】
図１および図２に示すように、本発明にかかる飲食物容器用ラベルの使用方法における第１の実施の形態は、たとえば弁当などの飲食物を収納した容器本体２を蓋体４で閉じ合わせた飲食物容器６と、前記飲食物を飲食するためのたとえば箸などの飲食用具を収納して包装した飲食用具包装体８と、前記容器本体２と前記蓋体４とを封止するとともに前記飲食用具包装体８を前記蓋体４表面へ半固定する紐体１０と、表面に名称、原材料名、消費期限、製造者などの前記飲食物に関連する情報を表示し、裏面に粘着剤１４が塗布され、この裏面を前記蓋体４に接する蓋体領域２２と少なくとも前記飲食用具包装体８に接する飲食用具領域２４と少なくとも前記紐体１０に接する紐体領域２６とに区分した飲食物容器用ラベル１２と、からなる。
【００２１】
前記飲食物容器用ラベル１２は、前記蓋体領域２２によって前記飲食物容器ラベル１２を前記蓋体４へ固定し、前記飲食用具領域２４によって前記飲食用具包装体８を前記蓋体４へ固定し、前記紐体領域２６によって前記紐体１０を前記蓋体４へ固定する。
【００２２】
前記飲食用具包装体８は、容器本体２の一側辺とほぼ平行になるように蓋体４表面に置かれ、この飲食用具包装体８にほぼ直交するようにして掛け渡された紐体１０によって半固定される。また、飲食物容器用ラベル１２は、裏面の粘着剤１４によって蓋体４に接して貼着する蓋体領域２２と、少なくとも飲食用具包装体８に接して貼着する飲食用具領域２４と、少なくとも紐体１０に接して貼着する紐体領域２６と、に区分される。前記飲食用具領域２４は、少なくとも飲食用具包装体８に接するように、その飲食用具包装体８の幅よりも広く形成されるとともに、この飲食用具領域２４に対応する飲食物容器用ラベル１２表面には、注意書きや広告などの情報が表示される。前記紐体領域２６は、飲食用具領域２４に直交して少なくとも紐体１０に接するように、その紐体１０の幅よりも広く形成される。前記蓋体領域２２に対応する飲食物容器用ラベル１２表面には、名称、原材料名、消費期限、製造者などの飲食物に関連する情報が表示される。
【００２３】
前記飲食物容器６を構成する容器本体２および蓋体４は、ポリエチレンテレフタレート（ＰＥＴ）、ポリプロピレン（ＰＰ）、ポリ塩化ビニル（ＰＶＣ）などの、硬質または半硬質の合成樹脂加工品が用いられ、容器本体２は透明または不透明いずれであっても良いが、蓋体４は容器本体２に収納された飲食物を透視することができる透明なものが好ましい。飲食用具包装体８は、紙製のほか、ポリエチレン（ＰＥ）、ポリエチレンテレフタレート、ポリプロピレン、ポリ塩化ビニルなどの、薄い膜状の合成樹脂加工品が用いられ、箸、スプーン、フォークなどの飲食用具を収納して、密封または一部に開口部を設けて包装する。
【００２４】
前記紐体１０は、たとえば、伸縮性を備えた輪状のゴム体などが用いられる。このように、紐体１０を伸縮性があるゴム体で構成することによって、容器本体６と、蓋体４と、飲食用具包装体８と、を容易に緊縛することができる。また、紐体１０は、ゴム体と糸からなる織物とを組み合わせたものなどを用いることができる。さらに、紐体１０に雑菌が繁殖することを抑制する抗菌性加工などを施しても良い。
【００２５】
前記飲食物容器用ラベル１２に用いられる基材は、塗工層を形成して印刷および印字効果を高めたコート紙やアート紙などの紙、ポリプロピレンやポリエチレンテレフタレートなどのフィルム、ポリプロピレンやポリエチレンなどに充填材を加えて紙のような繊維状に加工した合成紙、これらの単体や積層体や複合材を用いることができ、これら基材の上に感熱発色層を塗工した感熱基材を用いても良い。
【００２６】
特に、紙やフィルムや合成紙に対してインクリボンを用いて印字する熱転写方式に比べ、感熱基材を用いる感熱方式はサーマルヘッドを感熱基材に接触かつ発熱させて印字することから、インクリボンが不要でプリンタも安価であるため、ラベルを大量に印字発行する食品分野に適している。このような感熱基材を用いる際には、電子レンジで加熱してもラベルが黒く発色しない耐熱性、フィルムラップに含まれる可塑剤が印字の消色要因となるため印字が消色しない耐可塑性、水分が印字の消色および破れの要因となるため印字が消色せず破れない耐水性を備えたものを用いることが好ましい。
【００２７】
また、前記飲食物容器用ラベル１２の粘着剤１４は、種類別にはゴム系粘着剤、アクリル系粘着剤、シリコーン系粘着剤などがあり、さらに、形態別には、水の中に樹脂を微粒子にして重合したエマルジョン型粘着剤、有機溶剤を使用した溶剤型粘着剤、通常は固体であり熱で溶かして使うホットメルト型粘着剤等がある。この中から任意の組合せの粘着剤を用いることができ、たとえば、アクリル系粘着剤と有機溶剤とを混合したアクリル系溶剤型粘着剤などが使用される。また、粘着剤の強さは、一度貼着した後は剥離する必要のない用途に使用される強さ（ＪＩＳ  Ｚ  ０２３７ １８０°引きはがし法で７００ｇ／２５ｍｍ以上）の一般糊、強粘、超強粘などと呼ばれる強さが一般的に用いられる。
【００２８】
先述したとおり、従来、弁当などの飲食物を収納した飲食物容器６には、消費者が購入するときに飲食物の内容を理解し、適正に飲食物を選択するための情報源として、表示ラベルが貼着される。弁当などの飲食物は、購入時に構成原材料の内容を外部から確認して購入する飲食物であり、その商品の特性上、商品を裏返して表示内容を確認することが困難な食品であることから、飲食物容器６の蓋体４に相対する方向から表示された情報を目視確認することができるように、飲食物容器６の蓋体４の表出する面に表示ラベルが貼着されるものである。
【００２９】
本発明にかかる飲食物容器用ラベル１２も、その表面に、名称、原材料名、消費期限、製造者などの飲食物容器６に収納される飲食物に関連する情報を表示して、表示ラベルの機能を有するようにしたので、飲食物容器６の蓋体４の表出する面に貼着されるものである。
【００３０】
つまり、飲食物容器６の蓋体４の表面に貼着することが不可欠である飲食物に関連する情報を表示した飲食物容器用ラベル１２を用いて、容器本体２と蓋体４とを封止するとともに飲食用具包装体８を蓋体４表面へ半固定する紐体１０と、この紐体１０によって半固定された飲食用具包装体８と、を蓋体４へ確実に固定するものである。
【００３１】
このように本発明にかかる飲食物容器用ラベルの使用方法における第１の実施の形態は、飲食物容器用ラベル１２の裏面に、たとえば、一般糊、強粘、超強粘などと呼ばれる強さの粘着剤が塗布されているので、蓋体領域２２によって飲食物容器ラベル１２を蓋体４へ固定し、飲食用具領域２４によって飲食用具包装体８を蓋体４へ固定し、紐体領域２６によって紐体１０を蓋体４へ確実に固定することができる。
【００３２】
また、飲食物容器用ラベル１２の表面には、名称、原材料名、消費期限、製造者などの飲食物容器６に収納される飲食物に関連する情報を表示するようにしたので、飲食物容器６の蓋体４に相対する方向から、飲食物に関連する情報を確認することができるとともに、飲食物容器６に飲食用具包装体８が取り付けられたかを目視確認することができる。
【００３３】
次に、本発明にかかる飲食物容器用ラベルの使用方法における第２の実施の形態について、図３を用いて説明する。図３は、本発明にかかる飲食物容器用ラベルの使用方法における第２実施の形態を説明する説明図である。
【００３４】
図３に示す本発明にかかる飲食物容器用ラベル３２は、先述の図２に示した飲食物容器用ラベル１２と比較して、前記紐体領域２６内および前記飲食用具領域２４内に切れ目および非切れ目からなるミシン目１６を設け、前記紐体領域２６内のミシン目１６を切断して前記紐体１０を前記飲食物容器６から取り外し、前記飲食用具領域２４内のミシン目１６を切断して前記飲食用具包装８体を前記蓋体４から取り外すことができるようにしたもので、その他の構成は同一である。
【００３５】
前記ミシン目１６は、たとえば、紐体領域２６内に紐体１０に対して平行的に紐体領域２６の両端間に形成されるとともに、飲食用具領域２４内に飲食用具包装体８に対して平行的に飲食用具領域２４の両端間に形成される。また、このミシン目１６の切れ目と非切れ目との形状に関しては、紐体領域２６および飲食用具領域２４をスムーズに分離できるよう、切れ目に対して非切れ目が少ない比率で設けることが好ましい。
【００３６】
このミシン目１６は、紐体１０および飲食用具包装体８に対して平行的に紐体領域２６および飲食用具領域２４の両端間にわたって、少なくとも１つ以上形成されていれば良く、その数は特に限定しないが、たとえば、狭い幅で多数形成することによって、紐体１０や飲食用具包装体８の位置に関わらず、容易に紐体領域２６および飲食用具領域２４を分離することができる。
【００３７】
また、一般的にミシン目１６などは設けられていることが判別しにくいことから、このミシン目１６の形成予定部分にあらかじめミシン目形状などの印刷を施しておくこともできる。このように、ミシン目１６の形成予定部分に印刷を施しておくことで、ミシン目１６が設けられていること、および、その位置を明確に表示することができる。
【００３８】
本発明にかかる飲食物容器用ラベルの使用方法における第２の実施の形態において、飲食物容器６から飲食用具包装体８を取り外すには、まず、紐体１０を飲食物容器６から引き離すように持ち上げることによって、紐体領域２６内に設けられたミシン目１６が一方端から他方端に向けて順次分離され、紐体領域２６の両端間を完全に分離することで、紐体１０を飲食物容器６から取り外す。次に、飲食用具包装体８の一方の端部を飲食物容器６から引き離すように持ち上げることによって、飲食用具領域２４内に設けられたミシン目１６が、飲食用具包装体８の一方の端部側から他方の端部側へ順次分離され、飲食用具領域２４の両端間を完全に分離することで、飲食用具包装体８を飲食物容器６から取り外すことができる。
【００３９】
このように本発明にかかる飲食物容器用ラベルの使用方法における第２の実施の形態は、前記飲食物容器用ラベル３２の前記紐体領域２６内および前記飲食用具領域２４内に切れ目および非切れ目からなるミシン目１６を設け、前記紐体領域２６内のミシン目１６を切断して前記紐体１０を前記飲食物容器６から取り外し、前記飲食用具領域２４内のミシン目１６を切断して前記飲食用具包装体８を前記蓋体６から取り外すようにしたので、前記飲食物容器６から前記紐体１０および前記飲食用具包装体８を容易に取り外すことができる。
【００４０】
次に、本発明にかかる飲食物容器用ラベルの使用方法における第３実施の形態について、図４および図５を用いて説明する。図４は、本発明にかかる飲食物容器用ラベルの使用方法における第３実施の形態を説明する飲食容器用ラベル裏面図である。図５は、本発明にかかる飲食物容器用ラベルの使用方法における第３実施の形態を説明する説明図である。
【００４１】
図４および図５に示す本発明にかかる飲食物容器用ラベル４２は、先述の図２に示した飲食物容器ラベル１２と比較して、前記紐体領域２６内に切れ目および非切れ目からなるミシン目１６を設けるとともに、前記飲食用具領域２４に非粘着部１８を設け、前記紐体領域２６内のミシン目１６を切断して前記紐体１０を前記飲食物容器６から取り外し、前記飲食用具包装体２４領域に沿って前記飲食用具包装体８を移動させて前記蓋体４から取り外すことができるようにしたもので、その他の構成は同一である。
【００４２】
前記非粘着部１８は、飲食用具領域２４に設けられるもので、飲食物容器用ラベル４２の裏面に塗布された粘着剤１４面に印刷インキまたはニスなどを印刷して形成され、この印刷された部分は粘着剤１４の粘着力が封じられて非粘着部分となる。また、非粘着部１８を形成する印刷インキまたはニスなどには、粘着剤１４の粘着力をより強く封じるために、剥離性を有するシリコーンを適宜の割合で混合したものを使用することができる。
【００４３】
前記ミシン目１６は、先述の図３に示した飲食物容器用ラベル３２と同様に、切れ目に対して非切れ目が少ない比率で設けることが好ましく、紐体領域２６内に紐体１０に対して平行的に紐体領域２６の両端間にわたって、少なくとも１つ以上形成されていれば良く、狭い幅で多数形成しても良い。また、印刷を施してミシン目１６が設けられていること、および、その位置を明確に表示するようにしても良い。
【００４４】
本発明にかかる飲食物容器用ラベルの使用方法における第３の実施の形態において、飲食物容器６から飲食用具包装体８を取り外すには、まず、紐体１０を飲食物容器６から引き離すように持ち上げることによって、紐体領域２６内に設けられたミシン目１６が一方端から他方端に向けて順次分離され、紐体領域２６の両端間を完全に分離することで、紐体１０を飲食物容器６から取り外す。次に、飲食用具包装体８を飲食用具領域２４に沿って移動させて蓋体４から取り外すことができる。つまり、紐体１０を飲食物容器６から取り外すと、飲食用具包装体８は飲食用具領域２４に設けられた非粘着部１８に接しているだけなので、飲食用具包装体８を自在に移動させることができ、蓋体４から容易に取り外すことができる。
【００４５】
このように本発明にかかる飲食物容器用ラベルの使用方法における第３の実施の形態は、前記飲食物容器用ラベル４２の少なくとも前記紐体領域２６内に切れ目および非切れ目からなるミシン目１６を設けるとともに、少なくとも前記飲食用具領域２４に非粘着部１８を設け、前記紐体領域２６内のミシン目１８を切断して前記紐体１０を前記飲食物容器６から取り外し、前記飲食用具領域２４に沿って前記飲食用具包装体８を移動させて前記蓋体４から取り外すようにしたので、前記飲食物容器６から前記紐体１０および前記飲食用具包装体８を容易に取り外すことができる。
【００４６】
なお、本発明が上記実施の形態に限定されず、本発明の技術思想の範囲内において、実施の形態は適宜変更可能である。また、上記構成部材の数、位置、形状等は上記実施の形態に限定されず、本発明を実施する上で好適な数、位置、形状等にすることができる。  
【図面の簡単な説明】
【００４７】
【図１】本発明にかかる飲食物容器用ラベルの使用方法における第１の実施の形態を示す概略図である。
【図２】本発明にかかる飲食物容器用ラベルの使用方法における第１の実施の形態を説明する説明図である。
【図３】本発明にかかる飲食物容器用ラベルの使用方法における第２の実施の形態を説明する説明図である。
【図４】本発明にかかる飲食物容器用ラベルの使用方法における第３の実施の形態を説明する飲食物容器用ラベル裏面図である。
【図５】本発明にかかる飲食物容器用ラベルの使用方法における第３の実施の形態を説明する説明図である。
【図６】従来の方法によって飲食物容器へ飲食用具包装体を取り付けた一例を示す図である。
【図７】従来の方法によって飲食物容器へ飲食用具包装体を取り付けたその他の例を示す図である。
【符号の説明】
【００４８】
２  容器本体
４  蓋体
６  飲食物容器
８  飲食用具包装体
１０  紐体
１２、３２、４２  飲食物容器用ラベル
１４  粘着剤
１６  ミシン目
１８  非粘着部
２２  蓋体領域
２４  飲食用具領域
２６  紐体領域
５０  表示ラベル
５２  固定用テープ
【図１】
2007197078.tif 000003
【図２】
2007197078.tif 000004
【図３】
2007197078.tif 000005
【図４】
2007197078.tif 000006
【図５】
2007197078.tif 000007
【図６】
2007197078.tif 000008
【図７】
2007197078.tif 000009